(57)【要約】【課題】粘着性面による封緘機能を備えた輸送袋として、剥離紙を用いることなく未使用状態での粘着性面を保護でき、極めて簡単に封緘操作を行え、低コストで製作できるものを提供する。【解決手段】袋本体１の開口部２の前後一側に封緘用フラップ３が延設され、封緘用フラップ３の先部３ａ側の内面に粘着性表面部４が設けら、フラップ３の基部３ｂ側の内面に離型性表面部５が設けられ、未使用形態において封緘用フラップ３が粘着性表面部４を離型性表面部５に貼着する状態に内面側へ折り返されてなる。【選択図】        図１
2004210383.tif 000002
【特許請求の範囲】
【請求項１】
袋本体の開口部の前後一側に封緘用フラップが延設され、この封緘用フラップの先部側の内面に粘着性表面部が設けられると共に、該フラップの基部側の内面に離型性表面部が設けられ、未使用形態において該封緘用フラップが前記粘着性表面部を離型性表面部に貼着する状態に内面側へ折り返されてなる封緘機能付き輸送袋。
【請求項２】
袋本体が前面部と後面部との間に二つ折りにして折り込まれる左右の側面部を備える請求項１記載の封緘機能付き輸送袋。
【発明の詳細な説明】
【０００１】
【発明の属する技術分野】
この発明は、例えば宅配便用袋、小包用袋、封筒等として、使用時に開口部を糊付けや接着テープの貼着によらずに封緘できるようにした封緘機能付き輸送袋に関する。
【０００２】
【従来技術とその課題】
従来、この種の封緘機能付き輸送袋として、封筒等で開口部の前面側に延設した封緘用フラップの内面側の縁部に水溶性接着剤を塗布乾燥したものが古くから利用されているが、封緘する際に接着剤塗布部を水で濡らして接着性を回復させる必要があり、操作的に面倒である上、充分な接着性が得られずに糊付けや接着テープの貼着を余儀なくされる場合が多々あった。
【０００３】
そこで、近年においては、封緘用フラップの内面（例えば、特許文献１）、もしくは該フラップを接着させる後面側の外面に、予め粘着剤（感圧接着剤）の塗布による粘着性面を設け、この粘着性面に剥離紙を貼着した輸送袋が汎用されている。しかるに、このような輸送袋でも、使用に際して剥離紙を剥がす手間を要すると共に、剥がした剥離紙がゴミになるという難点があった。
【０００４】
一方、封緘機能を有しない輸送袋の開口部を簡易に封緘する手段として、両面接着テープを用いたり、封緘用粘着テープを用いる方法がある。しかしながら、両面接着テープでは、適当な長さに切断した上で片面の剥離紙を剥がして袋に貼着し、更に反対側の面の剥離紙を剥がして貼り合わせることになり、非常に手間がかかるばかりか、両面の剥離紙がゴミになるから、省資源の観点からも無駄が多い。また、封緘用粘着テープとしては、片面全体に粘着剤を塗布した上に剥離紙を貼着した一般的な粘着ラベル形態のもの以外に、シートの片面の中央部に長手方向に沿う剥離面を設けると共にその両側に粘着面を設け、一方の粘着面に剥離紙を貼着し、他方の粘着面側を折り返して当該粘着面を剥離面に貼着したもの（特許文献２）も提案されているが、いずれにしても袋本体に加えて封緘用粘着テープを用意する必要があってコスト高になり、しかも封緘操作に非常に手間がかかる上、剥がした剥離紙による無駄なゴミを生じるという難点がある。
【０００５】
なお、納品書や送り状、内容表示書等を入れて商品やその梱包ケース等の被着対象物に貼着させるラベル封筒として、袋体の開口部を設けた裏面側の両端部に各々帯状の粘着面及び剥離面を設け、これら両端部を粘着面が剥離面に接合するように裏面側へ折り返した形態とし、使用に際し、両端部の折り返しを開いて粘着面を剥離面から剥がし、この粘着面を介して被着対象物に貼着するようにしたものが提案されている（特許文献３）。このラベル封筒は、剥離紙を用いない粘着方式であるが、それ自体には開口部の封緘機能がないから、輸送袋として使用できない。
【０００６】
【特許文献１】
特許第３２１７６５０号公報
【０００７】
【特許文献２】
特開２００１−１１５１１６号公報
【０００８】
【特許文献３】
特開平５−２７３９２２号公報
この発明は、上述の事情に鑑みて、粘着性面による封緘機能を備えた輸送袋として、剥離紙を用いることなく未使用状態での粘着性面を保護できると共に、極めて簡単に封緘操作を行え、且つ低コストで製作できるものを提供することを目的としている。
【０００９】
【課題を解決するための手段】
上記目的を達成するために、請求項１の発明に係る封緘機能付き輸送袋は、袋本体の開口部の前後一側に封緘用フラップが延設され、この封緘用フラップの先部側の内面に粘着性表面部が設けられると共に、該フラップの基部側の内面に離型性表面部が設けられ、未使用形態において該封緘用フラップが前記粘着性表面部を離型性表面部に貼着する状態に内面側へ折り返されてなる構成としている。
【００１０】
上記構成の輸送袋では、その使用に際し、折り返されていた封緘用フラップを開いて粘着性表面部を離型性表面部から剥がし、この封緘用フラップを開口部を塞ぐように袋本体の反対側の表面に押し付けるだけで、極めて簡単に封緘を行える。しかして、未使用形態では粘着性表面部が離型性表面部に貼着して外側へは露呈していないから、運搬等の取扱い中や袋内へ所用の物品を入れる時に粘着性表面部が他の物に貼り付く懸念はなく、また従来のように剥がした剥離紙による無駄なゴミを発生することもない。更に、粘着性表面部と離型性表面部は、封緘用フラップの内面側に感圧性接着剤とシリコーンの如き剥離剤を塗布するだけで容易に形成できるから、輸送袋を低コストで製作できる。
【００１１】
請求項２の発明は、上記請求項１の封緘機能付き輸送袋において、袋本体が前面部と後面部との間に二つ折りにして折り込まれる左右の側面部を備えるものとしている。この構成では、袋内に収容する物品のサイズにより、開口部で袋の前面部と後面部とが接合せずに開いた状態になる場合でも、粘着性表面部が封緘用フラップの先部側にあるため、この粘着性表面部が反対側の袋表面に届く範囲で上記の開いた状態の開口部を塞いで封緘することが可能となる。
【００１２】
【発明の実施の形態】
以下に、この発明に係る封緘機能付き輸送袋の実施形態について、図面を参照して具体的に説明する。図１〜図３は第一実施例、図４は第二実施例、図５は第三実施例を示す。
【００１３】
図１〜図３に示す第一実施例の封緘機能付き輸送袋（１０）は、宅配便用袋や小包用袋等の収容量が大きいタイプであり、幅広矩形の前面部（１１）及び後面部（１２）と、狭幅矩形の左右側面部（１３）（１３）と、これら４面からの延出部を貼り合わせて形成した底面部（１４）とで袋本体（１）が構成され、この袋本体（１）の開口部（２）の前面側には前面部（１１）より延設された横長条片状の封緘用フラップ（３）を有している。
【００１４】
封緘用フラップ（３）の内面の先部（３ａ）側には、感圧性接着剤の塗布によって左右方向に沿う帯状の粘着性表面部（４）が形成されると共に、同内面の基部（３ｂ）側には、シリコーン等の塗布によって離型性表面部（５）が同様の帯状に形成されている。そして、離型性表面部（５）の上下幅は粘着性表面部（４）の上下幅よりも若干広く設定され、また該フラップ（３）の内面の先端縁に沿う数ミリ程度の幅が非塗装部（６）となっている。
【００１５】
しかして、この封緘機能付き輸送袋の未使用形態では、図１（Ａ）及び図２（Ａ）に示すように、封緘用フラップ（３）の先部（３ａ）を内側に折り返すことにより、内面の粘着性表面部（４）が基部（３ｂ）の離型性表面部（５）に貼着される一方、前面部（１１）と後面部（１２）との間に左右側面部（１３）（１３）を二つ折りにして折り込むと共に、底面部（１４）を後面部（１２）側へ折り付けることによって、袋本体（１）が偏平に折り畳まれている。
【００１６】
この輸送袋（１０）の使用に際しては、開放している開口部（２）より袋本体（１）内に所用の物品を収容したのち、図１（Ｂ）及び図２（Ｂ）に示すように、封緘用フラップ（３）の折り返されていた先部（３ａ）を捲り上げて粘着性表面部（４）を離型性表面部（５）から剥がし、図２（Ｃ）に示すように、該フラップ（３）を基端で内向きに折り返して後面部（１２）の表面に被せて押し付ける。これにより、封緘用フラップ（３）が先部（３ａ）の内面の粘着性表面部（４）によって後面部（１２）に貼着し、もって開口部（２）が該フラップ（３）にて塞がれて封緘されることになる。
【００１７】
上記構成の輸送袋（１０）にあっては、従来のような粘着面を保護する剥離紙を使用しないから、省資源に貢献できると共に、剥がした剥離紙によるゴミの発生もなくなる上、材料費の低減と剥離紙貼着工程の省略によって袋の製作コストを大きく低減でき、また封緘に際して従来のように剥離紙を剥がす手間が省け、封緘作業の能率が向上することになる。しかして、封緘用フラップ（３）の粘着性表面部（４）が未使用形態では外側へ露呈しないため、その運搬等の取扱い中に該粘着性表面部（４）が他の物に貼り付いたりして支障をきたすことはなく、また使用に際して袋内へ所用の物品を入れる時にも手や物品に付着しないないから、物品の収納操作を能率よく行える。
【００１８】
また、粘着性表面部（４）は未使用形態で離型性表面部（５）に貼着して外気から遮断される形で保護されているため、保管中に粘着力の低下をきたさない上、封緘に際して粘着性表面部（４）を離型性表面部（５）から容易に剥離させることができる。なお、封緘用フラップ（３）の内面の先端縁に沿う非塗装部（６）は、粘着性表面部（４）を離型性表面部（５）から剥がす際に摘む指掛かりとなり、もって剥離操作をより容易にする。
【００１９】
更に、上記実施形態の輸送袋（１０）のように袋本体（１）が前面部（１１）と後面部（１２）との間に折り込まれる左右側面部（１３）（１３）を備える構成では、図３に示すように、袋内に収容する物品（Ｍ）のサイズによっては、開口部（２）の近傍まで左右側面部（１３）（１３）の折り込みが拡がり、図示仮想線の如く開口部（２）で前面部（１１）と後面部（１２）の上縁同士が閉じ合わなくなる場合がある。しかるに、粘着性表面部（４）が封緘用フラップ（３）の先部（３ａ）側にあるため、粘着性表面部（４）が後面部（１２）の外面に届く範囲で、図示実線の如く物品（Ｍ）への貼り付きを生じることなく開口部（２）を塞いで封緘できるから、それだけ収容する物品（Ｍ）の許容サイズが大きくなる。
【００２０】
一方、この発明は、上記第一実施例のような左右側面部（１３）（１３）を備える輸送袋（１０）に限らず、一般的な封筒のように左右側面部のない偏平な輸送袋にも同様に適用できる。また、封緘用フラップについても、上記第一実施例のような横長条片状に限らず、後記第二及び第三実施例の如き三角形等、開口部形状に対応した種々の形状に設定できる。しかして、粘着性表面部は封緘用フラップの先部側の内面に設けるが、離型性表面部は該フラップと開口部の形状によっては、例えば後記第三実施例のように該フラップの基部側の内面から袋本体の内面にわたる領域に設けてもよい。
【００２１】
図４（Ａ）（Ｂ）に示す第二実施例の封緘機能付き輸送袋（２０）は、この発明を和式書簡封筒に適用したものであり、縦長矩形の袋本体（２１）の開口部（２２）の前面側に略二等辺三角形状の封緘用フラップ（２３）を有し、このフラップ（２３）の内面の先部（２３ａ）側に、感圧性接着剤の塗布による粘着性表面部（２４）が形成されると共に、同内面の基部（２３ｂ）側に、シリコーン等の塗布による離型性表面部（２５）が形成され、且つ該フラップ（２３）の先端部内面が非塗装部（２６）となっている。そして、この輸送袋（２０）の未使用形態では、図４（Ｂ）に示すように、封緘用フラップ（２３）の先部（２３ａ）が内側に折り返されて、粘着性表面部（２４）の全体が離型性表面部（２５）に貼着している。
【００２２】
また、図５（Ａ）（Ｂ）に示す第三実施例の封緘機能付き輸送袋（３０）は、この発明を洋式書簡封筒に適用したものである。その袋本体（３１）は、横長矩形の前面部（３１ａ）の左右側縁及び下縁より延出した三角片（３７ａ）（３７ａ）（３７ｂ）を後面側へ折り付けて相互に接着することにより、後方へＶ字形に開いた開口部（３２）と後面部（３１ｂ）とを形成している。そして、該袋本体（３１）の前面部（３１ａ）の上縁より延出する三角片が封緘用フラップ（３３）をなし、その基端寄りに位置する折り線ｐを境として先部（３３ａ）側の内面には、山形の側縁部に沿って感圧性接着剤の塗布による逆Ｖ字形の帯状に粘着性表面部（２４）が設けられ、頂端部の内面が非塗装部（３６）となっている。また、該フラップ（３３）の基部（３３ｂ）の内面から袋本体（３１）の前面部（３１ａ）の内面にわたって、シリコーン等の塗布による離型性表面部（３５）が粘着性表面部（２４）よりも幅広のＶ字形に設けられている。しかして、この輸送袋（３０）の未使用形態では、図５（Ｂ）の如く該フラップ（３３）の先部（３３ａ）が折り線ｐで内側へ折り返され、粘着性表面部（２４）が離型性表面部（３５）に貼着している。
【００２３】
これら第二及び第三実施例の輸送袋（２０）（３０）の使用に際しては、開口部（２２）（３２）より便箋等を袋本体（２１）（３１）内に収容したのち、封緘用フラップ（２３）（３３）の先端の非塗装部（２６）（３６）を指摘んで先部（２３ａ）（３３ａ）を捲り上げることにより、粘着性表面部（２４）（３４）を離型性表面部（２５）（３５）から剥がし、図４（Ｂ）及び図５（Ｂ）の仮想線で示すように該フラップ（２３）（３３）を基端で内向きに折り返し、袋本体（２１）（３１）の後面部に粘着性表面部（２４）（３４）によって貼着して封緘すればよい。
【００２４】
これら第二及び第三実施例の輸送袋（２０）（３０）では、前記第一実施例の輸送袋（１０）と同様に粘着面を保護する剥離紙が不要であるから、封緘作業の能率が向上すると共に、該剥離紙によるゴミが発生せず、袋の製作コストも大きく低減される。また粘着性表面部（２４）（３４）が未使用形態で離型性表面部（２５）（３５）に貼着しているため、保管中の粘着力の低下が防止される上、運搬等の取扱いや使用時の便箋等の収納操作に支障をきたさず、封緘に際してフラップ（２３）（３３）の先部（２３ａ）（３３ａ）を容易に剥離させることができる。
【００２５】
なお、この発明の封緘機能付き輸送袋の材質としては、特に制約はなく、紙、合成樹脂フィルム、合成樹脂ラミネート紙、不織布等、用途に応じた強度と可撓性を有する材料であればよい。
【００２６】
【発明の効果】
請求項１の発明によれば、封緘機能付き輸送袋として、袋本体の開口部を塞ぐ封緘用フラップの先部側の内面に粘着性表面部を設けると共に、該フラップの基部側の内面に離型性表面部を設け、未使用形態において該封緘用フラップを粘着性表面部が離型性表面部に貼着する状態に内面側へ折り返すようにしているから、その使用に際して該フラップを開いて開口部を塞ぐように袋本体の反対側の表面に押し付けるだけで極めて簡単に封緘を行える上、運搬等の取扱い中や袋内へ所用の物品を入れる時に貼り付きを生じず、しかも剥離紙が不要であるため、従来のような剥がした剥離紙による無駄なゴミの発生がなく、省資源にも貢献でき、また低コストで容易に製作できるものが提供される。
【００２７】
請求項２の発明によれば、袋本体が前面部と後面部との間に二つ折りにして折り込まれる左右の側面部を備える上記の封緘機能付き輸送袋において、袋内に収容する物品のサイズによって開口部で袋の前面部と後面部とが接合せずに開いた状態になる場合でも、封緘用フラップによって該開口部を塞いで封緘できるため、収納物品の許容サイズが大きくなるという利点がある。
【図面の簡単な説明】
【図１】この発明に係る第一実施例の輸送袋を示し、（Ａ）図は未使用形態の斜視図、（Ｂ）図は封緘用フラップを開いた状態の斜視図である。
【図２】同第一実施例の輸送袋を示し、（Ａ）図は未使用形態の背面図、（Ｂ）図は封緘用フラップを開いた状態の背面図、（Ｃ）は封緘した状態の背面図である。
【図３】同第一実施例の輸送袋におけるサイズが大きい物品を収納した封緘状態を示す要部の縦断側面図である。
【図４】この発明に係る第二実施例の輸送袋を示し、（Ａ）図は封緘用フラップを開いた状態の要部の背面図、（Ｂ）図は未使用形態の要部の背面図である。
【図５】この発明に係る第三実施例の輸送袋を示し、（Ａ）図は封緘用フラップを開いた状態の背面図、（Ｂ）図は未使用形態の背面図である。
【符号の説明】
１，２１，３１・・・・・・・袋本体
２，２２，３２・・・・・・・開口部
３，２３，３３・・・・・・・封緘用フラップ
３ａ，２３ａ，３３ａ・・・・先部
３ｂ，２３ｂ，３３ｂ・・・・基部
４，２４，３４・・・・・・・粘着性表面部
５，２５，３５・・・・・・・離型性表面部
６，２６，３６・・・・・・・未塗装部
１０，２０，３０・・・・・・輸送袋
１１，３１ａ・・・・・・・・前面部
１２，３１ｂ・・・・・・・・後面部
１３・・・・・・・・・・・・側面部
【図１】
2004210383.tif 000003
【図２】
2004210383.tif 000004
【図３】
2004210383.tif 000005
【図４】
2004210383.tif 000006
【図５】
2004210383.tif 000007